【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
顔認識の、コンピュータによりインプリメントされる方法であって、
認識プロセス中に、認識されるべき観測された顔の複数の画像を受信することと、
少なくとも前記認識プロセスの一部として前記観測された顔の前記複数の画像のうちの２つ以上の選択された画像に少なくとも基づいて、前記観測された顔のテンプレートを生成することと、ここにおいて、前記観測された顔の前記テンプレートを生成することは、前記複数の画像のうちの前記２つ以上の選択された画像の特徴ベクトルに少なくとも基づいて、前記観測された顔の部分空間を生成することを含む、
既知の人物のアイデンティティおよび対応する顔データのデータベースを探索することと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択することと、
を備えるコンピュータによりインプリメントされる方法。
【請求項２】
前記データベースの各アイデンティティは、１つの基準画像に基づくデータと関連づけられる、請求項１に記載のコンピュータによりインプリメントされる方法。
【請求項３】
画像センサを用いて、前記観測された顔の前記複数の画像をキャプチャすることをさらに備える、請求項１に記載のコンピュータによりインプリメントされる方法。
【請求項４】
前記特徴ベクトルは、前記選択された画像の線形バイナリパターンヒストグラムに少なくとも基づく、請求項１に記載のコンピュータによりインプリメントされる方法。
【請求項５】
前記特徴ベクトルは、フィルタされた画像ブロックのカスケードに少なくとも基づく、請求項１に記載のコンピュータによりインプリメントされる方法。
【請求項６】
前記部分空間は、前記複数の画像のうちの前記２つ以上の選択された画像の前記特徴ベクトルの平均と分散に関連づけられる、請求項１に記載のコンピュータによりインプリメントされる方法。
【請求項７】
前記データベースを探索することは、前記観測された顔の前記テンプレートと、前記既知の人物の前記対応する顔データのうちの１つまたは複数の各々との間の誤差測定を決定することを備える、請求項１に記載のコンピュータによりインプリメントされる方法。
【請求項８】
前記誤差測定は、カイ二乗距離に基づく、請求項７に記載のコンピュータによりインプリメントされる方法。
【請求項９】
前記１つまたは複数のアイデンティティの前記選択は、前記誤差測定のしきい値に基づく、請求項７に記載のコンピュータによりインプリメントされる方法。
【請求項１０】
前記観測された顔の向きに基づいて、前記複数の画像のうちの前記２つ以上の画像を選択することをさらに備える、請求項１に記載のコンピュータによりインプリメントされる方法。
【請求項１１】
前記複数の画像のうちの前記２つ以上の画像の前記選択は、関心のある顔の特徴にさらに基づく、請求項１０に記載のコンピュータによりインプリメントされる方法。
【請求項１２】
前記複数の画像のうちの前記２つ以上の画像の前記選択は、前記データベースの前記顔データの顔の向きにさらに基づく、請求項１０に記載のコンピュータによりインプリメントされる方法。
【請求項１３】
前記１つまたは複数の選択されたアイデンティティを示すデータをグラフィカル・ディスプレイに表示することをさらに備える、請求項１０に記載のコンピュータによりインプリメントされる方法。
【請求項１４】
前記２つ以上の選択されたアイデンティティの前記選択を確認するようにユーザに促すことと、
前記ユーザの前記確認に応答して、前記データベースを更新することと、
をさらに備える、請求項１３に記載のコンピュータによりインプリメントされる方法。
【請求項１５】
顔認識装置であって、
認識プロセス中に、認識されるべき観測された顔の複数の画像を受信し、
少なくとも前記認識プロセスの一部として前記観測された顔の前記複数の画像のうちの２つ以上の選択された画像に少なくとも基づいて、前記観測された顔のテンプレートを生成し、ここにおいて、前記観測された顔の前記テンプレートを生成することは、前記複数の画像のうちの前記２つ以上の選択された画像の特徴ベクトルに少なくとも基づいて、前記観測された顔の部分空間を生成することを含む、
既知の人物のアイデンティティおよび対応する顔データのデータベースを探索し、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択する
ように構成されるプロセッサ、
を備える顔認識装置。
【請求項１６】
前記プロセッサは、前記既知の人物の前記選択された１つまたは複数のアイデンティティを示すデータを転送するようにさらに構成され、ここにおいて、前記データベースの各アイデンティティは、１つの基準画像に基づくデータと関連づけられる、請求項１５に記載の顔認識装置。
【請求項１７】
画像センサをさらに備え、ここにおいて、前記プロセッサは、前記画像センサから前記観測された顔の複数の画像をキャプチャするようにさらに構成される、請求項１５に記載の顔認識装置。
【請求項１８】
命令を記憶した非一時的なコンピュータ可読媒体であって、前記命令は、実行されると、プロセッサに、
認識プロセス中に、認識されるべき観測された顔の複数の画像を受信することと、
少なくとも前記認識プロセスの一部として前記観測された顔の前記複数の画像のうちの２つ以上の選択された画像に少なくとも基づいて、前記観測された顔のテンプレートを生成することと、
既知の人物のアイデンティティおよび対応する顔データのデータベースを探索することと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択することと、
前記２つ以上の選択されたアイデンティティを示すデータをグラフィカル・ディスプレイに表示することと、
から成る方法を実行させる、非一時的なコンピュータ可読媒体。
【請求項１９】
前記データベースの各アイデンティティは、１つの基準画像に基づくデータと関連づけられ、前記１つまたは複数の選択されたアイデンティティは、前記観測された顔の前記テンプレートのしきい値距離内の特徴ベクトルと関連づけられる、請求項１８に記載の非一時的なコンピュータ可読媒体。
【請求項２０】
顔認識の、コンピュータによりインプリメントされる方法であって、
認識プロセス中に、認識されるべき観測された顔の複数の画像を受信することと、
前記複数の画像のうちの２つ以上の画像を選択することと、前記２つ以上の画像の前記選択は、前記観測された顔の向きに基づき、前記２つ以上の画像の前記選択は、関心のある顔の特徴に基づく、
少なくとも前記認識プロセスの一部として前記２つ以上の選択された画像に少なくとも基づいて、前記観測された顔のテンプレートを生成することと、
既知の人物のアイデンティティおよび対応する顔データのデータベースを探索することと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択することと、
を備えるコンピュータによりインプリメントされる方法。
【請求項２１】
顔認識の、コンピュータによりインプリメントされる方法であって、
認識プロセス中に、認識されるべき観測された顔の複数の画像を受信することと、
前記複数の画像のうちの２つ以上の画像を選択することと、前記２つ以上の画像の前記選択は、前記観測された顔の向きに基づき、前記２つ以上の画像の前記選択は、データベースの顔データの顔の向きに基づく、
少なくとも前記認識プロセスの一部として前記２つ以上の選択された画像に少なくとも基づいて、前記観測された顔のテンプレートを生成することと、
既知の人物のアイデンティティおよび対応する顔データのデータベースを探索することと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択することと、
を備えるコンピュータによりインプリメントされる方法。
【手続補正２】
【補正対象書類名】明細書
【補正対象項目名】００７７
【補正方法】変更
【補正の内容】
【００７７】
[0079]  様々な態様および実施形態がここで開示されてきたが、他の態様および実施形態も当業者には明らかであろう。ここに開示された様々な態様および実施形態は、例示の目的のためのものであり、限定するものであるようには意図されない。
以下に、本願出願の当初の特許請求の範囲に記載された発明を付記する。
［Ｃ１］
顔認識装置であって、
識別のために、観測された顔の複数の画像を受信するようにプロセッサを構成する命令を含む画像受信機モジュールと、
前記複数の画像のうちの２つ以上の選択された画像に少なくとも基づいて、前記観測された顔のテンプレートを生成するように前記プロセッサを構成する命令を含むテンプレートモジュールと、
既知の人物のアイデンティティおよび対応する顔データのデータベースを探索するように前記プロセッサを構成する命令を含む探索モジュールと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択するように前記プロセッサを構成する命令を含む認識モジュールと、
を備える顔認識装置。
［Ｃ２］
前記既知の人物の前記選択された１つまたは複数のアイデンティティを示すデータを転送するように前記プロセッサを構成する命令を含む通信モジュールをさらに備え、ここにおいて、前記データベースの各アイデンティティは、１つの基準画像に基づくデータと関連づけられる、Ｃ１に記載の顔認識装置。
［Ｃ３］
画像センサをさらに備え、ここにおいて、前記画像受信機モジュールは、前記画像センサから観測された顔の複数の画像をキャプチャするように前記プロセッサを構成する命令をさらに備える、Ｃ１に記載の顔認識装置。
［Ｃ４］
顔認識の、コンピュータによりインプリメントされる方法であって、
識別のために、観測された顔の複数の画像を受信することと、
前記複数の画像のうちの２つ以上の選択された画像に少なくとも基づいて、前記観測された顔のテンプレートを生成することと、
既知の人物のアイデンティティおよび対応する顔データのデータベースを探索することと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択することと、
を備えるコンピュータによりインプリメントされる方法。
［Ｃ５］
前記データベースの各アイデンティティは、１つの基準画像に基づくデータと関連づけられる、Ｃ４に記載のコンピュータによりインプリメントされる方法。
［Ｃ６］
画像センサを用いて、前記観測された顔の前記複数の画像をキャプチャすることをさらに備える、Ｃ４に記載のコンピュータによりインプリメントされる方法。
［Ｃ７］
前記観測された顔の前記テンプレートを生成することは、前記複数の画像のうちの前記２つ以上の選択された画像の特徴ベクトルに少なくとも基づいて、前記観測された顔の部分空間を生成することを含む、Ｃ４に記載のコンピュータによりインプリメントされる方法。
［Ｃ８］
前記特徴ベクトルは、前記選択された画像の線形バイナリパターンヒストグラムに少なくとも基づく、Ｃ７に記載のコンピュータによりインプリメントされる方法。
［Ｃ９］
前記特徴ベクトルは、フィルタされた画像ブロックのカスケードに少なくとも基づく、Ｃ７に記載のコンピュータによりインプリメントされる方法。
［Ｃ１０］
前記部分空間は、前記複数の画像のうちの前記２つ以上の選択された画像の前記特徴ベクトルの平均と分散に関連づけられる、Ｃ７に記載のコンピュータによりインプリメントされる方法。
［Ｃ１１］
前記データベースを探索することは、前記観測された顔の前記テンプレートと、前記既知の人物の前記対応する顔データのうちの１つまたは複数の各々との間の誤差測定を決定することを備える、Ｃ４に記載のコンピュータによりインプリメントされる方法。
［Ｃ１２］
前記誤差測定は、カイ二乗距離に基づく、Ｃ１１に記載のコンピュータによりインプリメントされる方法。
［Ｃ１３］
前記１つまたは複数のアイデンティティの前記選択は、前記誤差測定のしきい値に基づく、Ｃ１１に記載のコンピュータによりインプリメントされる方法。
［Ｃ１４］
前記観測された顔の向きに基づいて、前記複数の画像のうちの前記２つ以上の画像を選択することをさらに備える、Ｃ４に記載のコンピュータによりインプリメントされる方法。
［Ｃ１５］
前記複数の画像のうちの前記２つ以上の画像の前記選択は、関心のある顔の特徴にさらに基づく、Ｃ１４に記載のコンピュータによりインプリメントされる方法。
［Ｃ１６］
前記複数の画像のうちの前記２つ以上の画像の前記選択は、前記データベースの前記顔データの顔の向きにさらに基づく、Ｃ１４に記載のコンピュータによりインプリメントされる方法。
［Ｃ１７］
前記１つまたは複数の選択されたアイデンティティを示すデータをグラフィカル・ディスプレイに表示することをさらに備える、Ｃ１４に記載のコンピュータによりインプリメントされる方法。
［Ｃ１８］
前記２つ以上の選択されたアイデンティティの前記選択を確認するようにユーザに促すことと、
前記ユーザの前記確認に応答して、前記データベースを更新することと、
をさらに備える、Ｃ１７に記載のコンピュータによりインプリメントされる方法。
［Ｃ１９］
命令を記憶した非一時的なコンピュータ可読媒体であって、前記命令は、実行されると、プロセッサに、
識別のために、観測された顔の複数の画像を受信することと、
前記複数の画像のうちの２つ以上の選択された画像に少なくとも基づいて、前記観測された顔のテンプレートを生成することと、
既知の人物のアイデンティティおよび対応する顔データのデータベースを探索することと、なお、前記探索することは、前記観測された顔の前記テンプレートと、前記既知の人物の前記顔データとに少なくとも基づく、
前記探索に少なくとも基づいて、前記既知の人物の１つまたは複数のアイデンティティを選択することと、
から成る方法を実行させる、非一時的なコンピュータ可読媒体。
［Ｃ２０］
前記データベースの各アイデンティティは、１つの基準画像に基づくデータと関連づけられ、前記１つまたは複数の選択されたアイデンティティは、前記観測された顔の前記テンプレートのしきい値距離内の特徴ベクトルと関連づけられる、Ｃ１９に記載の非一時的なコンピュータ可読媒体。
［Ｃ２１］
前記方法は、前記２つ以上の選択されたアイデンティティを示すデータをグラフィカル・ディスプレイに表示することをさらに備える、Ｃ１９に記載の非一時的なコンピュータ可読媒体。